(57)【特許請求の範囲】
【請求項１】
所定の薬効成分を含む膏体層と；
前記膏体層を支持する支持層と；
前記支持層から延出する固定用シートと；
前記固定用シートの端部を連結して、前記膏体層を使用部位に固定する連結具とを備え；
前記固定用シートは、伸縮性を有するが、それ自体は粘着性を持たず、
前記固定用シートは、前記支持層から延びる２つの第１突出部と、前記支持層から前記第１突出部と反対方向に延びる２つの第２突出部とを有し、
前記連結具は、前記第１突出部の一方の端部と前記第２突出部の一方の端部とを連結し、前記第１突出部の他方の端部と前記第２突出部の他方の端部とを連結する構造であることを特徴とする固定具付き貼付剤。
【請求項２】
前記固定用シートは、前記支持層の対向位置から各々延出する２枚のシートから構成され、前記固定用シートの突出部は、前記２枚のシートに切欠きを設けることによって形成されることを特徴とする請求項１に記載の固定具付き貼付剤。
【請求項３】
前記固定用シートは、前記支持層の２側部から互いに交差することなく延出する２枚のシートから構成され、
前記２枚のシートの合計４つの端部が前記４つの突出部に対応することを特徴とする請求項１に記載の固定具付き貼付剤。
【請求項４】
前記支持層が伸縮性材料によって構成され、当該支持層と前記膏体層とによって構成される貼付剤本体部の伸縮応力が、前記固定用シートの伸縮応力より大きいことを特徴とする請求項１，２又は３に記載の固定具付き貼付剤。
【請求項５】
前記連結具が前記固定用シートの端部に設けられたフック・アンド・ループタイプの面ファスナーであることを特徴とする請求項１，２，３又は４に記載の固定具付き貼付剤。
【請求項６】
前記支持層と前記固定シートとが１枚のシートとして成形されていることを特徴とする請求項１，２，３，４又は５に記載の固定具付き貼付剤。
【請求項７】
所定の薬効成分を含む膏体層と；
前記膏体層を支持する支持層と；
前記支持層から延出する固定用シートと；
前記固定用シートの端部を連結して、前記膏体層を使用部位に固定する連結具とを備え；
前記固定用シートは、伸縮性を有するが、それ自体は粘着性を持たず、
前記固定用シートは、前記支持層の対向位置から各々延出する第１シート及び第２シートから構成され、これら第１及び第２のシートの各々にＶ字型の切欠きを設けることによって、前記第１シートには２つの第１突出部が形成され、前記第２シートには２つの第２突出部とが形成され、
前記連結具は、第１のシートの一方の端部と前記第２のシートの一方の端部とを連結し、前記第１のシートの他方の端部と前記第２のシートの他方の端部とを連結する構造であることを特徴とする固定具付き貼付剤。
【請求項８】
所定の薬効成分を含む膏体層と；
前記膏体層を支持する支持層と；
前記支持層から延出する固定用シートと；
前記固定用シートの端部を連結して、前記膏体層を使用部位に固定する連結具とを備え；
前記固定用シートは、前記支持層の２側部から互いに交差することなく概ね平行に延出する長尺状の第１及び第２のシートから構成され、
前記連結具は、第１のシートの一方の端部と前記第２のシートの一方の端部とを連結し、前記第１のシートの他方の端部と前記第２のシートの他方の端部とを連結する構造であることを特徴とする固定具付き貼付剤。
【発明の詳細な説明】
【０００１】
【発明の属する技術分野】
本発明は固定具付き貼付剤に関し、特に、関節部分などの身体の変位の比較的大きな箇所に適した固定具付き貼付剤に関する。
【０００２】
【従来の技術】
貼付剤としては、冷感、温感タイプの湿布剤や保湿剤等、様々な種類が市販されている。従来の貼付剤は、布、不織布等の支持体シートの片面ほぼ全域に膏体層を塗工することによって製造され、その膏体層を使用者の肌に貼り付けて使用される。このような貼付剤においては、一般的には、膏体層の持つ弱い粘着力で肌に貼り付けて固定する様に設計されている。しかし、膏体の粘着力による固定では、長時間使用した場合に徐々に剥がれてきてしまう。特に、肘、膝、足首、足甲,足裏等の身体の変位量、変形が大きく且つフラットではない部位においては事実上使用できない。そこで、間接部付近など、膏体層の粘着力だけでは剥がれてしまう様な身体部位へ適用する場合には、別途作成された粘着テープで肌に固定するのが一般的である。また、膏体自体の粘着力を強くすることも考えられる。
【０００３】
【発明が解決しようとする課題】
しかしながら、膏体自体の粘着力を強くした場合には、強粘着剤による肌の荒れが生じるという問題点がある。また、強粘着力とした貼布剤は剥ぎとり時に苦痛をともなうという不都合もある。このため、現在では、大きなサイズの貼付剤の場合には粘着力を比較的弱くするのが一般的である。一方、貼付剤を患部に固定するために、別途作成された固定用テープ等を使用するのは、使用者にとってのわずらわしい。また、固定用テープに代えてチューブ状固定用伸縮ネットを使用することも可能であるが、わずらわしさにおいては固定用テープと同様である。
【０００４】
本発明は上記のような状況に鑑みてなされたものであり、身体の変位が大きく、且つ、曲率の大きな部位（腕、手、脚、足、首等）においても長時間しっかりと固定できると同時に、肌に対する刺激、荒れ等のトラブルを最小限に抑えることが可能な貼付剤を提供することを目的とする。ここで、「曲率」は曲率半径の逆数を意味し、従って、曲率の大きな箇所（曲率半径の小さな箇所）とは、曲がり方の急な箇所となる。
【０００５】
【課題を解決するための手段】
本発明は上記課題を解決するために、本発明の第１の態様に係る固定具付き貼付剤は、請求項１に記載のように、所定の薬効成分を含む膏体層と；前記膏体層を支持する支持層と；
前記支持層から延出する固定用シートと；前記固定用シートの端部を連結して、前記膏体層を使用部位に固定する連結具とを備える。そして、前記固定用シートは、伸縮性を有するが、それ自体は粘着性を持たない。また、前記固定用シートは、前記支持層から延びる２つの第１突出部と、前記支持層から前記第１突出部と反対方向に延びる２つの第２突出部とを有する。更に、前記連結具は、前記第１突出部の一方の端部と前記第２突出部の一方の端部とを連結し、前記第１突出部の他方の端部と前記第２突出部の他方の端部とを連結する構造である。
また、本発明の第２の態様に係る固定具付き貼付剤は、請求項７に記載のように、所定の薬効成分を含む膏体層と；前記膏体層を支持する支持層と；前記支持層から延出する固定用シートと；前記固定用シートの端部を連結して、前記膏体層を使用部位に固定する連結具とを備える。そして、前記固定用シートは、伸縮性を有するが、それ自体は粘着性を持たない。また、前記固定用シートは、前記支持層の対向位置から各々延出する第１シート及び第２シートから構成され、これら第１及び第２のシートの各々にＶ字型の切欠きを設けることによって、前記第１シートには２つの第１突出部が形成され、前記第２シートには２つの第２突出部とが形成される。さらに、前記連結具は、第１のシートの一方の端部と前記第２のシートの一方の端部とを連結し、前記第１のシートの他方の端部と前記第２のシートの他方の端部とを連結する構造である。
【０００６】
【発明の実施の形態】
図１は、本発明創作の基礎となる固定具付き貼付剤を示す。図１に示す固定具付き貼付剤１０は、所定の薬効成分を含む膏体層１２と、膏体層１２の表面に配置される剥離シート１４と、膏体層１２を支持する支持体シート１６と、使用部位に固定するための固定用シート１８と、係止テープ２０ａ，２０ｂとを備えている。膏体層１２と、剥離シート１４と、支持体シート１６によって、貼付剤本体部が構成される。なお、この例においては、膏体層１２は矩形に成形されているが、必ずしも矩形である必要ななく、使用する部位に応じた形状にすることができる。
【０００７】
膏体層１２の膏体は、各用途に対応した薬効成分を配合した高分子物質を主体とする。剥離シート１４は、膏体を保護することを主目的として使用されるため、膏体層１２から剥離し易い素材を選択する。支持体シート１６としては、編織布、不織布、プラスチックフィルム等の素材及びそれらの伸縮、非伸縮性についても特に制限はないが、経済性、機能面から考え、伸縮性不織布を使用するのが望ましい。固定用シート１８は、身体部位（腕や脚）を巻く様に締め付け、且つ、長時間ゆるむことなく固定することが要求されるため、伸縮性を有する構成となっている。また、むれ防止効果及び経済性の面から考えると、伸縮性を有する不織布シートが好ましい。係止テープ２０ａ，２０ｂは、貼布剤本体（１２，１４，１６）の一側辺から延出する固定用シート１８の端部に取り付けられ、対向する側辺から延出する固定用シート１８の背面に係止される様になっている。
【０００８】
図２は、本発明創作の基礎となる固定具付き貼付剤の他の態様を示す。図２に示す固定具付き貼付剤３０は、所定の薬効成分を含む膏体層３２と、膏体層３２の表面に配置される剥離シート３４と、膏体層３２を支持するとともに使用者の患部に固定するための支持・固定用シート４２と、係止テープ４０ａ，４０ｂとを備えている。
【０００９】
貼付剤３０においては、図１に示す貼付剤１０の支持体シート１６と固定用シート１８とを一体に成形している。このような構成にすることにより、貼付剤３０全体の構造を簡素化でき、製造コストの低減を図ることができる他、貼付剤３０の厚さを薄くできるというメリットがある。その他の構成については、上述の貼付剤１０と同一であるため、重複した説明は省略する。
【００１０】
図３は、本発明創作の基礎となる固定具付き貼付剤の更に他の態様を示す。図３に示す固定具付き貼付剤５０は、所定の薬効成分を含む膏体層５２と、膏体層５２の表面に配置される剥離シート５４と、膏体層５２を支持する支持体シート６２と、使用者の患部に固定するための２枚の固定用シート５８ａ，５８ｂと、固定用シート５８ｂの端部に設けられた係止テープ６０ａ，６０ｂとを備えている。図１に示す第１の実施形態と同様に、膏体層５２と、剥離シート５４と、支持体シート６２によって、貼付剤本体部が構成される。
【００１１】
貼付剤５０においては、図１に示す貼付剤１０の固定用シート１８を左右２つ（５８ａ，５８ｂ）に分割している。すなわち、固定用シート５８ａ，５８ｂの一端が支持体シート６２の裏面に接着されており、多端が自由端となっている。その他の構成については、図１及び図２の説明と同一であるため、重複した説明は省略する。
【００１２】
図４は、本発明の第１の実施形態を示す。図４に示す固定具付き貼付剤７０は、所定の薬効成分を含む膏体層７２と、膏体層７２の表面に配置される剥離シート７４と、膏体層７２を支持する支持体シート８２と、使用者の患部に固定するための２枚の固定用シート７８ａ，７８ｂと、固定用シート７８ａ，７８ｂの端部に設けられた係止テープ８０ａ，８０ｂとを備えている。図１及び図３に示す実施形態と同様に、膏体層７２と、剥離シート７４と、支持体シート８２によって、貼付剤本体部が構成される。
【００１３】
本実施形態に係る貼付剤７０においては、図３に示す貼付剤５０の固定用シート５８ａ，５８ｂの形状を改良している。すなわち、固定用シート７８ａ，７８ｂの自由端に各々Ｖ字型の切欠き８４ａ，８４ｂが形成されている。これらの切欠き８４ａ，８４ｂにより、踝など種々の形状の部位（フラットでない部位）に対して、貼付剤本体部７２，７４，８２を確実に固定することが可能となる。その他の構成については、上述した図１〜図３の説明と同一であるため、重複した説明は省略する。
【００１４】
図５は、本発明の第２の実施形態を示す。図５に示す固定具付き貼付剤９０は、所定の薬効成分を含む膏体層９２と、膏体層９２の表面に配置される剥離シート９４と、膏体層９２を支持する支持体シート１０２と、使用者の患部に固定するための２枚の固定用シート９８ａ，９８ｂと、係止テープ１００ａ，１００ｂとを備えている。図１、図３及び図４に示す固定具付き貼付剤と同様に、膏体層９２と、剥離シート９４と、支持体シート１０２によって、貼付剤本体部が構成される。
【００１５】
本実施形態に係る貼付剤９０においては、２本の帯状の固定用シート９８ａ，９８ｂが、支持体シート１０２の裏面において、所定の間隔を空けて平行に配置されている。このように所定の間隔を空けて配置された２枚の固定用シート９８ａ，９８ｂにより、図４に示す第１の実施形態と同様に、くるぶし等種々の形状の部位に対して、貼付剤本体部９２，９４，９６を確実に固定することが可能となる。その他の構成については、上述した他の実施形態と同一であるため、重複した説明は省略する。
【００１６】
次に、図６及び図７を参照して、本発明の更に詳細な実施例について説明する。図６に示す固定具付き貼付剤１１０は、所定の薬効成分を含む膏体層１１２と、膏体層１１２の表面に配置される剥離シート１１４と、膏体層１１２を支持する支持体シート１２２と、使用者の患部に固定するための４枚の固定用シート１１８ａ，１１８ｂ，１１８ｃ，１１８ｄと、係止テープ１２０ａ，１２０ｂとを備えている。上述した、図１，図３及び図４に示したものと同様に、膏体層１１２と、剥離シート１１４と、支持体シート１２２によって、貼付剤本体部が構成される。
【００１７】
膏体層１１２の膏体は、各用途に対応した薬効成分を配合した高分子物質を主体とする。膏体に含まれる薬効成分、高分子物質、添加助剤等は、肩こり、腰痛、打ち身、捻挫、吸熱、温熱、肌荒れパック等の様々な用途、使用身体部位に応じて最適なものを使用することができる。
【００１８】
剥離シート１１４は、膏体を保護することを主目的として使用されるため、膏体層１２から剥離し易い素材を選択する。例えば、プラスチックフィルム、紙等を使用することができる。
【００１９】
支持体シート１２２としては、編織布、不織布、プラスチックフィルム等の素材及びそれらの伸縮、非伸縮性についても特に制限はないが、経済性、機能面から考え、伸縮性不織布を使用するのが望ましい。
【００２０】
固定用シート１１８ａ，１１８ｂ，１１８ｃ，１１８ｄは、身体部位（腕や脚）を巻く様に締め付け、且つ、長時間ゆるむことなく固定することが要求されるため、伸縮性を有する構成となっている。また、むれ防止効果及び経済性の面から考えると、伸縮性を有する不織布シートが好ましい。ただし、編織布を使用することも可能である。
【００２１】
支持体シート１２２は、目付１００ｇ／ｍ２の伸縮性スパンレース不織布であり、潜在捲縮性ＰＥＴ繊維１．７ｄｔｅｘ×５１ｍｍのカードウェブをウォータージェット処理により繊維交絡させた後、乾燥、熱収縮処理を行なうことによって得られる。このスパンレース不織布は、マシン流れ方向（ＭＤ）における最大伸度が１４０％の時の引張破断応力が５８．５Ｎ／２５ｍｍ巾、同５０％伸張率における引張応力が１３．１Ｎ／２５ｍｍ巾のものを使用する。これに対し、固定用シート１１８ａ，１１８ｂ，１１８ｃ，１１８ｄについても、支持体シー１２２と同様のものを使用した。支持体シート１２２上に膏体１１２を塗工することにより、貼付剤本体部（１１２，１１４，１２２）の伸縮応力が固定用シート１１８ａ，１１８ｂ，１１８ｃ，１１８ｄより大きくなる。
【００２２】
貼付剤本体部１１２，１１４，１２２を製造する際には、最初に支持体シート１２２上に所定の薬効成分及び助剤を含む膏体を４５０ｇ／ｍ２塗工して膏体層１１２を形成する。次に、膏体層１２２上面にエンボス加工した４０ｇ／ｍ２の剥離性フィルム１１４を重ね。貼布剤本体部は、例えば、６５ｍｍ×１００ｍｍとする。
【００２３】
支持体シート１２２の裏面長手方向の両端部には、支持体シート１２２と同じ不織布からなる固定用シート１１８ａ，１１８ｂ，１１８ｃ，１１８ｄが各々連結される。一方の固定用シート１１８ａ，１１８ｂの先端には、粘着剤が塗布されて係止テープ１２０ａ，１２０を構成する。なお、本実施例では、４枚の固定用シート１１８ａ，１１８ｂ，１１８ｃ，１１８ｄを使用しているが、図４に示す実施形態のように、２枚の固定用シートの先端部のみを分割するような構成を採ることもできる。
【００２４】
係止テープ１２０ａ，１２０ｂは、貼布剤本体（１１２，１１４，１２２）の一方から延出する固定用シート１１８ａ，１１８ｂの端部に取り付けられ、他方から延出する固定用シート１１８ｃ，１１８ｄの背面に係止される様になっている。その係止機構は特に限定されるものではないが、粘着剤方式、面ファスナー（フック・アンド・ループ）方式であれば、ワンタッチで操作できるため好適である。更に、面ファスナー方式の場合、係止テープ１２０ａ，１２０ｂにはフック側を使用し、少なくとも固定用シート１１８ｃ，１１８ｄの裏側の素材をループ材質とする。
【００２５】
なお、本実施例においては、貼付剤本体部（１１２，１１４，１２２）の伸縮応力が、固定用シート１１８ａ，１１８ｂ，１１８ｃ，１１８ｄの伸縮応力より大きく設定することが好ましい。すなわち、貼付剤本体部（１１２，１１４，１２２）よりも固定用シート（１１８ａ，１１８ｂ，１１８ｃ，１１８ｄ）の方が伸縮し易くする。これにより、適用身体部位の動きに対して、固定用シート１１８ａ，１１８ｂ，１１８ｃ，１１８ｄの伸縮変形によって追従するかたちとなり、身体皮膚に密着した貼付剤本体部（１１２，１１４，１２２）が変形によって皮膚から剥がれるのを抑制できる。
【００２６】
図７は、図６に示す固定具付き貼付剤１１０を実際に使用者のかかとに装着した様子を示す。このケースでは、保湿成分等を含む膏体層１１２がそれ自体の比較的弱い粘着力で使用者のかかとに密着し、更に、支持体シート１２２に連結された固定用シート１１８ａ，１１８ｂ，１１８ｃ，１１８ｄによって、足首から甲にかけて貼付剤本体部を固定する。なお、固定用シート１１８ａ，１１８ｂ，１１８ｃ，１１８ｄ自体は、粘着性を持たず、係止テープ１２０ａ，１２０ｂによって締め付ける構成であるため、粘着剤に比べて使用者の肌への刺激が少ない。
【００２７】
本実施例に係る貼布剤１１０は、図７に示すように、踵のひび割れに潤いを与え、滑らかな皮膚とする為に作られた貼布剤を就寝中に使えば、朝めざめるまでズレたり剥がれたりせず至極快適に使えるものとなる。なお、踵用は一例であり、肘、手首、膝、首筋、掌、足首、足甲、土踏まず、太腿、ふくらはぎ、上腕部、二の腕部、頭部等比較的直径が小さく、曲げたり捻ったり等の変形が大きい部分に対して特に有効である。
【００２８】
また、本貼布剤は、ある一定の薬効に限定されるものではなく、肩こり、打ち身、腰痛、筋肉痛等に適用する消炎剤を始めとする治療薬や温熱剤、吸熱冷却剤、肌ケア用のパック剤、更には鎮痛、解熱剤、心臓薬等の経皮吸収薬等、あらゆるタイプに適用可能である。
【００２９】
以上、本発明の実施例について説明したが、本発明はこれらの実施例に何ら限定されるものではなく、特許請求の範囲に示された技術的思想の範疇において変更可能なものである。
【００３０】
【発明の効果】
以上説明したように、本発明に係る固定具付き貼付剤によれば、身体の変位が大きく、且つ、曲率の大きな部位（腕、手、脚、足、首等）においても長時間しっかりと固定できると同時に、肌に対する刺激、荒れ等のトラブルを最小限に抑えることが可能となる。特に、就寝時の様に長時間意識のない状態で使用されるケースに最適である。
【図面の簡単な説明】
【図１】  図１は、本発明創作の基礎となる固定具付き貼付剤の構成を示す斜視図である。
【図２】  図２は、本発明創作の基礎となる固定具付き貼付剤の構成を示す斜視図である。
【図３】  図３は、本発明創作の基礎となる固定具付き貼付剤の構成を示す斜視図である。
【図４】  図４は、本発明の第１の実施形態に係る固定具付き貼付剤の構成を示す斜視図である。
【図５】  図５は、本発明の第２の実施形態に係る固定具付き貼付剤の構成を示す斜視図である。
【図６】  図６は、本発明の実施例に係る固定具付き貼付剤の構成を示す斜視図である。
【図７】  図７は、図６に示す貼付剤の使用状態を示す説明図である。
【符号の説明】
１０，３０，５０，７０，９０，１１０      固定具付き貼付剤
１２      膏体層
１４      剥離シート
１６      支持層
１８      固定用シート
２０ａ，２０ｂ      係止テープ
【図１】
0003939068.tif 000002
【図２】
0003939068.tif 000003
【図３】
0003939068.tif 000004
【図４】
0003939068.tif 000005
【図５】
0003939068.tif 000006
【図６】
0003939068.tif 000007
【図７】
0003939068.tif 000008